(57)【要約】【課題】消費電力の増大や回路構成を複雑化することなくクロストークを抑制することができる電気光学装置及びその駆動方法、駆動回路並びに電子機器を提供する。【解決手段】液晶表示装置は、複数の走査線Ｙ１〜Ｙｎと、各走査線に対して交差するように配線された複数のデータ線Ｘ１〜Ｘｍとを備えている。また液晶表示装置は、各データ線に対して交差するように配線され、各データ線と容量結合するダミー電極２３と、ダミー電極２３に現れる電圧信号ＤＥＴと所定電圧ＶＴとを比較して、電圧信号ＤＥＴの変化分を出力する反転論理回路３１と、反転論理回路３１から出力される電圧信号ＤＥＴの変化分を、各走査線に供給する走査信号の電位に付加する論理回路３３，３４とを備えている。【選択図】　　　　図１
2004109825.tif 000002
【特許請求の範囲】
【請求項１】
複数の走査線と、該各走査線に対して交差するように配線された複数のデータ線とを備えた電気光学装置において、
前記各データ線に対して交差するように配線され、該各データ線と容量結合する電極と、
前記電極に現れる信号レベルと所定レベルとを比較して、該信号レベルの変化分を出力する比較回路と、
前記比較回路から出力される信号レベルの変化分を、前記各走査線に供給する信号レベルに付加する論理回路とを備えたことを特徴とする電気光学装置。
【請求項２】
複数の走査線と、該各走査線の選択期間及び非選択期間にそれぞれ対応して選択レベル及び非選択レベルに設定される走査信号を該各走査線に供給する走査線駆動回路と、該各走査線に対して交差するように配線された複数のデータ線と、表示データに基づいてパルス幅変調されるデータ信号を該各データ線に供給するデータ線駆動回路と、該各走査線と該各データ線との交差部に対応してそれぞれ設けられて該走査信号及びデータ信号に基づき駆動される画素部とを備えた電気光学装置において、
前記各データ線に対して交差するように配線され、該各データ線と容量結合する電極と、
前記電極に現れる信号レベルと所定レベルとを比較して、該信号レベルの変化分を出力する比較回路と、
前記比較回路から出力される信号レベルの変化分を、前記選択レベルに付加する論理回路とを備えたことを特徴とする電気光学装置。
【請求項３】
前記比較回路は、入力端子に所定のバイアスレベルが印加される反転論理回路であることを特徴とする請求項１又は２記載の電気光学装置。
【請求項４】
前記論理回路は、前記選択期間の初期に前記比較回路から出力される信号レベルの変化分を、前記選択レベルに付加しないことを特徴とする請求項２記載の電気光学装置。
【請求項５】
複数の走査線と、該各走査線の選択期間及び非選択期間にそれぞれ対応して選択レベル及び非選択レベルに設定される走査信号を該各走査線に供給する走査線駆動回路と、該各走査線に対して交差するように配線された複数のデータ線と、表示データに基づいてパルス幅変調されるデータ信号を該各データ線に供給するデータ線駆動回路と、該各走査線と該各データ線との交差部に対応してそれぞれ設けられて該走査信号及びデータ信号に基づき駆動される画素部とを備えた電気光学装置の駆動方法において、
前記各データ線に対して交差するように配線され、該各データ線と容量結合する電極を備え、
前記電極に現れる信号レベルと所定レベルとを比較して、該信号レベルの変化分を出力し、
前記信号レベルの変化分を、前記選択レベルに付加することを特徴とする電気光学装置の駆動方法。
【請求項６】
複数の走査線と、該各走査線の選択期間及び非選択期間にそれぞれ対応して選択レベル及び非選択レベルに設定される走査信号を該各走査線に供給する走査線駆動回路と、該各走査線に対して交差するように配線された複数のデータ線と、表示データに基づいてパルス幅変調されるデータ信号を該各データ線に供給するデータ線駆動回路と、該各走査線と該各データ線との交差部に対応してそれぞれ設けられて該走査信号及びデータ信号に基づき駆動される画素部とを備えた電気光学装置の駆動回路において、
前記各データ線に対して交差するように配線され、該各データ線と容量結合する電極を備え、
前記電極に現れる信号レベルと所定レベルとを比較して、該信号レベルの変化分を出力し、
前記信号レベルの変化分を、前記選択レベルに付加することを特徴とする電気光学装置の駆動回路。
【請求項７】
請求項１乃至４のいずれか一項に記載の電気光学装置を具備してなることを特徴とする電子機器。
【発明の詳細な説明】
【０００１】
【発明の属する技術分野】
本発明は、電気光学装置及びその駆動方法、駆動回路並びに電子機器に関する。
【０００２】
【従来の技術】
近年、液晶等の電気光学物質の電気光学的変化を利用して、画像を表示することの可能な電気光学装置が、各種の電子機器やテレビなどに広く用いられつつある。これによれば、従来の陰極線管（ＣＲＴ）を用いたテレビ等では達成し得なかった、薄型化、小型化、低消費電力化等といった数多くの特徴を享受することができる。
【０００３】
このような電気光学装置には、既に数多くのタイプが提案されているが、その多くは適当な基準により分類することができる。例えば、駆動方式等による分類が一般的になされ、具体的には、スイッチングにより画素を駆動するアクティブ・マトリクス型と、スイッチング素子を用いないで画素を駆動するパッシブ・マトリクス型とに大別することができる。このうち、前者のアクティブ・マトリクス型では、スイッチング素子の種類によって更に、薄膜トランジスタ（Ｔｈｉｎ　Ｆｉｌｍ　Ｔｒａｎｓｉｓｔｏｒ；以下、適宜「ＴＦＴ」という。）などの三端子型スイッチング素子を用いるタイプと、薄膜ダイオード（Ｔｈｉｎ　Ｆｉｌｍ　Ｄｉｏｄｅ；以下、適宜「ＴＦＤ」という。）などの二端子型スイッチング素子を用いるタイプとに大別することができる。
【０００４】
図１０は、後者のＴＦＤ等の二端子型スイッチング素子を用いる電気光学装置としての液晶表示装置を示す要部電気ブロック回路図である。同図に示すように、この液晶表示装置は、複数の走査線Ｙ１〜Ｙｎ（ｎは整数）と、これに交差する複数のデータ線Ｘ１〜Ｘｍ（ｍは整数）と、これらの各交差部に対応してそれぞれ設けられた画素部９０とを備えている。各画素部９０は、スイッチング素子としてのＴＦＤ９１及び液晶容量９２が直列に接続された等価回路で表される。なお、液晶容量９２は、液晶層を誘電体とする走査線の電極とデータ線の電極とで形成されるものである。
【０００５】
このような構成にあって、各走査線Ｙ１〜Ｙｎにはその選択期間及び非選択期間にそれぞれ対応して選択電圧及び非選択電圧に設定される走査信号が供給される。また、各データ線Ｘ１〜Ｘｍには表示データ（階調）に基づいてパルス幅変調されるデータ信号が供給される。そして、上記画素部９０は、走査信号（選択電圧）及びデータ信号に基づき駆動される。
【０００６】
【特許文献１】
特開平１０−３９８４０号公報
【０００７】
【発明が解決しようとする課題】
しかしながら、こうした液晶表示装置においては、データ線Ｘ１〜Ｘｍ上の電圧（データ信号）が変化すると、その変化分が走査線Ｙ１〜Ｙｎ上の電圧に微分状波形のノイズ電圧（歪み電圧）として重畳されることがある。以下、図１１に示す液晶表示装置の各走査線Ｙ１〜Ｙｎに係る等価回路を参照して説明する。同図において、走査線Ｙ１〜Ｙｎは、走査線駆動回路の出力抵抗、走査線駆動回路の出力端子と各走査線Ｙ１〜Ｙｎとを結ぶ引き廻し電極の抵抗、各走査線Ｙ１〜Ｙｎの電極自体の抵抗等とで作られる抵抗成分９３を有している。また、各走査線Ｙ１〜Ｙｎ及びデータ線Ｘ１〜Ｘｍ間には、液晶容量９２に加えて寄生容量である容量成分９４が形成されている。以上により、上記等価回路は液晶容量９２及び容量成分９４と、抵抗成分９３とで構成される微分回路と見なしうる。
【０００８】
従って、データ線Ｘ１〜Ｘｍ上の電圧が変化すると、その変化分が走査線Ｙ１〜Ｙｎ上の電圧に微分状波形のノイズ電圧として重畳されることになる。同図に併せ示すように、例えばデータ線Ｘ１〜Ｘｍ上の電圧がデータ信号のパルス幅変調によってステップ状に変化すると、上記液晶容量９２等を介して容量結合が起こりその立上がり／立下りタイミングにおいてインパルス状のノイズ電圧が走査線Ｙ１〜Ｙｎ上の電圧に重畳される。
【０００９】
このようなノイズ電圧が走査線Ｙ１〜Ｙｎに加わると、選択電圧の波形が変化することをはじめ、ＴＦＤ９１のスイッチング素子としての機能にも影響を及ぼし、画像上にクロストーク（横クロストーク）を発生させることになる。これは、ＴＦＴとは異なり、ＴＦＤ９１は印加される電圧によってその抵抗値が大きく変化するためである。
【００１０】
図１２はノーマリーホワイト表示の液晶表示装置の表示例を示す図である。以下、こうしたノイズ電圧が表示に与える影響を図１２に基づき更に説明する。同図において、走査線Ｙｑに対応するデータ線Ｘ１〜Ｘ（ｐ−１）及びデータ線Ｘ（ｐ＋１）〜Ｘｍには画素部９０が「白色（階調度０％）」になるようにデータ信号が供給され、それ以外の部分には画素部９０が５０％の中間調となるようにデータ信号が供給されているとする。
【００１１】
このとき、図１２に併せ示されるように、走査線Ｙｑの水平走査期間Ｈ（選択期間）においては、データ線Ｘｐに供給されるデータ信号のみが変化する。従って、データ線Ｘｐ上の電圧変化に対応するノイズ電圧のみが走査線Ｙｐに重畳されるため、画素部９０を駆動する走査信号とデータ信号との差分信号の立上がりの鈍りは小さくなり、ほぼ理想的な階調度となる。
【００１２】
一方、走査線Ｙｑ以外の走査線の水平走査期間Ｈ（選択期間）において、データ線Ｘｐを含む全てのデータ線Ｘ１〜Ｘｍに供給されるデータ信号が同時に変化する。従って、上記差分信号は、各データ線Ｘ１〜Ｘｍ上の電圧変化に対応して走査線に重畳された全てのノイズ電圧によってその立上がりが大きく鈍り、理想的な階調度よりもその分低く（白く）なり、クロストークが発生する。なお、鈍りの程度が同じであっても、印加電圧が高いときほど上述の影響は大きくなる。
【００１３】
こうしたクロストークの影響を軽減するためには、例えば上記微分回路の時定数を小さくすればよく、具体的には上記抵抗成分９３が小さくなるようにすればよい。しかしながら、低抵抗配線に伴うコストの増大が余儀なくされることから自ずと限界がある。
【００１４】
また、例えば特許文献１では、表示パターンにより駆動電圧を補正する方法が記載されている。この場合、ＤＡＣが必要になることから回路構成が複雑化し、消費電力及びコストの増大という別の問題が生じてしまう。
【００１５】
そこで、回路構成を複雑にせず容易にクロストークの影響を軽減するための方策が、本出願人により特願２００２−１０１１７７号において提案されている。図１３は、上記提案に係る電気光学装置としての液晶表示装置を示す要部電気ブロック回路図である。同図に示されるように、この液晶表示装置は、各走査線Ｙ１〜Ｙｎに電位が±ＶＳＥＬとなる選択電圧及び保持電圧（図示略）のいずれかを走査線駆動回路９５を介して供給するようになっている。
【００１６】
この液晶表示装置は、各データ線Ｘ１〜Ｘｍと交差してこれらデータ線Ｘ１〜Ｘｍと容量結合するダミー電極９６をそのパネル内に備えている。このダミー電極９６には、該電極上に印加する電圧を常に一定にするための電圧を供給する電源回路９７が設けられている。この電源回路９７は、演算増幅回路９７ａ及び検出抵抗９７ｂからなり、演算増幅回路９７ａの非反転入力端子及び反転入力端子にはそれぞれ一定の電圧源（例えばグランドＧＮＤ）及びダミー電極９６が接続されている。そして、演算増幅回路９７ａの出力端子と反転入力端子との間には、前記抵抗成分９３と同等の抵抗値を有する検出抵抗９７ｂが挿入されている。また、液晶表示装置は、この電源回路９７が出力する電圧の変化分を各電位の選択電圧にそれぞれ重畳する回路構成９８，９９を備えている。
【００１７】
このような構成を有する液晶表示装置の作用について以下に説明する。データ線Ｘ１〜Ｘｍ上の電圧が変化すると、走査線Ｙ１〜Ｙｎとともにダミー電極９６にも微分状波形のノイズ電圧を発生させようとする。
【００１８】
ところが、電源回路９７を構成する演算増幅回路９７ａの反転入力端子にはダミー電極９６が接続されており、非反転入力端子には一定の電圧源が接続されているため、演算増幅回路９７ａはその回路特性として両入力端子の電圧が同じになるような電圧を出力する。
【００１９】
従って、実際にはダミー電極９６に上記ノイズ電圧が発生しない。言い換えると、電源回路９７が出力する電圧の変化分が検出抵抗９７ｂを介してダミー電極９６に供給され、これにより実際にはダミー電極９６に上記ノイズ電圧が発生しなくなる。
【００２０】
よって、電源回路９７が出力する同じ電圧の変化分を上記回路構成９８，９９にて各選択電圧にそれぞれ重畳した新たな選択電圧を、抵抗成分９３を介して走査線Ｙ１〜Ｙｎに供給することで、上記に準じて走査線Ｙ１〜Ｙｎ上のノイズ電圧も相殺される。
【００２１】
図１４は、このような液晶表示装置によるノイズ電圧の補正をした場合としなかった場合とで、走査線Ｙ１〜Ｙｎ上に現れる電圧をそれぞれ示すタイムチャートである。同図において、データ信号（電圧）がステップ状に変化すると、走査線Ｙ１〜Ｙｎ上の電圧に微分波形状のノイズ電圧が重畳される。一方、電源回路９７から電圧の変化分である補正電圧が出力され、これが回路構成９８，９９を介して走査線Ｙ１〜Ｙｎ上の電圧に重畳される。以上により、走査線Ｙ１〜Ｙｎ上の電圧に重畳されるノイズ電圧が相殺され、クロストークの影響も軽減される。
【００２２】
しかしながら、このような構成を採用した場合であっても、電源回路９７を構成する演算増幅回路９７ａに対して比較的高速動作が要求されることから、消費電力の増大、演算増幅回路９７ａの複雑化、ひいてはコストの増大といったことが未だ解消し得ない。
【００２３】
本発明の目的は、消費電力の増大や回路構成を複雑化することなくクロストークを抑制することができる電気光学装置及びその駆動方法、駆動回路並びに電子機器を提供することにある。
【００２４】
【課題を解決するための手段】
本発明の電気光学装置は、上記課題を解決するため、複数の走査線と、該各走査線に対して交差するように配線された複数のデータ線とを備えた電気光学装置において、前記各データ線に対して交差するように配線され、該各データ線と容量結合する電極と、前記電極に現れる信号レベルと所定レベルとを比較して、該信号レベルの変化分を出力する比較回路と、前記比較回路から出力される信号レベルの変化分を、前記各走査線に供給する信号レベルに付加する論理回路とを備えている。
【００２５】
本発明の電気光学装置によれば、各データ線と容量結合する電極に現れる信号レベルと所定レベルとを比較して、該信号レベルの変化分を出力する比較回路を備えている。従って、データ線に供給されるデータ信号の変動によって電極に現れる信号レベルの変化分は、所定レベルとの比較（閾値判定）のみで検出される。すなわち、消費電力の増大や回路構成を複雑化することなく比較的高速な応答が可能となる。この電極に現れる信号レベルの変化分は、各走査線に重畳するノイズ成分に対応するものでクロストークの要因となる成分である。そして、この信号レベルの変化分は、論理回路により前記各走査線に供給する信号レベルに付加されてクロストークが補償される。以上により、消費電力の増大や回路構成を複雑化することなくクロストークが抑制される。
【００２６】
また、本発明の電気光学装置は、複数の走査線と、該各走査線の選択期間及び非選択期間にそれぞれ対応して選択レベル及び非選択レベルに設定される走査信号を該各走査線に供給する走査線駆動回路と、該各走査線に対して交差するように配線された複数のデータ線と、表示データに基づいてパルス幅変調されるデータ信号を該各データ線に供給するデータ線駆動回路と、該各走査線と該各データ線との交差部に対応してそれぞれ設けられて該走査信号及びデータ信号に基づき駆動される画素部とを備えた電気光学装置において、前記各データ線に対して交差するように配線され、該各データ線と容量結合する電極と、前記電極に現れる信号レベルと所定レベルとを比較して、該信号レベルの変化分を出力する比較回路と、前記比較回路から出力される信号レベルの変化分を、前記選択レベルに付加する論理回路とを備えている。
【００２７】
本発明の電気光学装置によれば、各データ線と容量結合する電極に現れる信号レベルと所定レベルとを比較して、該信号レベルの変化分を出力する比較回路を備えている。従って、データ線に供給されるデータ信号の変動によって電極に現れる信号レベルの変化分は、所定レベルとの比較（閾値判定）のみで検出される。すなわち、消費電力の増大や回路構成を複雑化することなく比較的高速な応答が可能となる。この電極に現れる信号レベルの変化分は、各走査線に重畳するノイズ成分に対応するものでクロストークの要因となる成分である。そして、この信号レベルの変化分は、論理回路により前記選択レベルに付加されてクロストークが補償される。以上により、消費電力の増大や回路構成を複雑化することなくクロストークが抑制される。
【００２８】
なお、本発明に言う「電気光学装置」とは、一般的には、前記走査線及び前記データ線等における通電等を通じた適当な電界の印加により、その状態を変じ、かつ、その光学的特性が変化する電気光学物質を備えたものが想定される。
【００２９】
このような電気光学物質として、より具体的には例えば、前記の液晶を挙げることができる。
本発明の電気光学装置の一態様では、前記比較回路は、入力端子に所定のバイアスレベルが印加される反転論理回路である。
【００３０】
この態様によれば、前記比較回路は、入力端子に所定のバイアスレベルが印加される極めて簡易な構成を有する反転論理回路とされる。
本発明の電気光学装置の他の一態様では、前記論理回路は、前記選択期間の初期に前記比較回路から出力される信号レベルの変化分を、前記選択レベルに付加しない。
【００３１】
この態様によれば、前記選択期間の初期に前記信号レベルの変化分は、前記選択レベルに付加されないため、選択期間の前後でのクロストークの補償が回避される。
【００３２】
本発明の電気光学装置の駆動方法は、複数の走査線と、該各走査線の選択期間及び非選択期間にそれぞれ対応して選択レベル及び非選択レベルに設定される走査信号を該各走査線に供給する走査線駆動回路と、該各走査線に対して交差するように配線された複数のデータ線と、表示データに基づいてパルス幅変調されるデータ信号を該各データ線に供給するデータ線駆動回路と、該各走査線と該各データ線との交差部に対応してそれぞれ設けられて該走査信号及びデータ信号に基づき駆動される画素部とを備えた電気光学装置の駆動方法において、前記各データ線に対して交差するように配線され、該各データ線と容量結合する電極を備え、前記電極に現れる信号レベルと所定レベルとを比較して、該信号レベルの変化分を出力し、前記信号レベルの変化分を、前記選択レベルに付加する。
【００３３】
本発明の電気光学装置の駆動方法によれば、各データ線と容量結合する電極に現れる信号レベルと所定レベルとを比較することで、該信号レベルの変化分が出力される。従って、データ線に供給されるデータ信号の変動によって電極に現れる信号レベルの変化分は、所定レベルとの比較（閾値判定）のみで検出される。すなわち、消費電力の増大や回路構成を複雑化することなく比較的高速な応答が可能となる。この電極に現れる信号レベルの変化分は、各走査線に重畳するノイズ成分に対応するものでクロストークの要因となる成分である。そして、この信号レベルの変化分は、前記選択レベルに付加されてクロストークが補償される。以上により、消費電力の増大や回路構成を複雑化することなくクロストークが抑制される。
【００３４】
本発明の電気光学装置の駆動回路は、複数の走査線と、該各走査線の選択期間及び非選択期間にそれぞれ対応して選択レベル及び非選択レベルに設定される走査信号を該各走査線に供給する走査線駆動回路と、該各走査線に対して交差するように配線された複数のデータ線と、表示データに基づいてパルス幅変調されるデータ信号を該各データ線に供給するデータ線駆動回路と、該各走査線と該各データ線との交差部に対応してそれぞれ設けられて該走査信号及びデータ信号に基づき駆動される画素部とを備えた電気光学装置の駆動回路において、前記各データ線に対して交差するように配線され、該各データ線と容量結合する電極を備え、前記電極に現れる信号レベルと所定レベルとを比較して、該信号レベルの変化分を出力し、前記信号レベルの変化分を、前記選択レベルに付加することを特徴とする。
【００３５】
本発明の電気光学装置の駆動回路によれば、各データ線と容量結合する電極に現れる信号レベルと所定レベルとを比較することで、該信号レベルの変化分が出力される。従って、データ線に供給されるデータ信号の変動によって電極に現れる信号レベルの変化分は、所定レベルとの比較（閾値判定）のみで検出される。すなわち、消費電力の増大や回路構成を複雑化することなく比較的高速な応答が可能となる。この電極に現れる信号レベルの変化分は、各走査線に重畳するノイズ成分に対応するものでクロストークの要因となる成分である。そして、この信号レベルの変化分は、前記選択レベルに付加されてクロストークが補償される。以上により、消費電力の増大や回路構成を複雑化することなくクロストークが抑制される。
【００３６】
本発明の電子機器は、上述の本発明の電気光学装置（但し、その各種態様を含む。）を具備してなる。
本発明の電子機器によれば、消費電力の増大や回路構成を複雑化することなくクロストークが抑制された画像表示が実現される。
【００３７】
【発明の実施の形態】
以下、本発明の電気光学装置を液晶表示装置に適用した一実施形態について図を参照しつつ説明する。図１は、本実施形態の液晶表示装置の電気的構成を示すブロック図である。同図に示されるように、この液晶表示装置は、液晶パネル１１と、走査線駆動回路１２と、データ線駆動回路１３と、走査線駆動回路１２に後述の電位±ＶＳＥＬ’を有する電圧を供給する電源回路１４と、データ線駆動回路１３に電位±ＶＳＩＧを有する電圧を供給する電源回路１５と、制御回路１６とを備えている。
【００３８】
上記液晶パネル１１は、複数の走査線Ｙ１〜Ｙｎ（ｎは整数）と、これに交差する複数のデータ線Ｘ１〜Ｘｍ（ｍは整数）とを備えている。そして、各走査線Ｙ１〜Ｙｎ及びデータ線Ｘ１〜Ｘｍの一端は、それぞれ走査線駆動回路１２及びデータ線駆動回路１３に接続されている。
【００３９】
また、上記液晶パネル１１は、走査線Ｙ１〜Ｙｎ及びデータ線Ｘ１〜Ｘｍの各交差部に対応してそれぞれ設けられた画素部２０を備えている。各画素部２０は、スイッチング素子としてのＴＦＤ（薄膜ダイオード：Ｔｈｉｎ　Ｆｉｌｍ　Ｄｉｏｄｅ　）２１及び液晶容量２２が直列に接続された等価回路で表される。ＴＦＤ２１は、例えば図６に示すような電流−電圧特性を有しており、電圧が零電圧付近では電流は殆ど流れないが、電圧の絶対値が閾値電圧Ｖｔｈを超えると、電圧の増加とともに電流が急増する。なお、液晶容量２２は、液晶層を誘電体とする走査線Ｙ１〜Ｙｎの電極とデータ線Ｘ１〜Ｘｍの電極とで形成されるものである。
【００４０】
さらに、上記液晶パネル１１は、各データ線Ｘ１〜Ｘｍに対して交差するように配線されて、各データ線Ｘ１〜Ｘｍと容量結合するダミー電極２３を備えている。このダミー電極２３は、走査線Ｙｎに隣接して配置されている。
【００４１】
上記走査線駆動回路１２は、各走査線Ｙ１〜Ｙｎに対して電位が±ＶＳＥＬ’及び±ＶＨＬＤの何れかのレベルを有する走査信号ＶＹ１〜ＶＹｎを供給する。各走査信号ＶＹ１〜ＶＹｎは、各走査線Ｙ１〜Ｙｎの選択期間及び非選択期間（保持期間）に応じてそのレベルがそれぞれ±ＶＳＥＬ’及び±ＶＨＬＤに切り換えられる。なお、各走査線の選択期間とは、当該走査線の一水平走査期間である。
【００４２】
上記データ線駆動回路１３は、各データ線Ｘ１〜Ｘｍに対して電位が±ＶＳＩＧの何れかのレベルを有するデータ信号ＶＸ１〜ＶＸｍを供給する。各データ信号ＶＸ１〜ＶＸｍは、各画素部２０の階調度に応じたタイミングでそのレベルが切り換えられる。
【００４３】
上記電源回路１４は、前記走査線駆動回路１２、制御回路１６及びダミー電極２３に接続されており、電位±ＶＳＥＬを有する電圧が印加されている。電源回路１４は、ダミー電極２３の電圧変動を制御回路１６からの制御信号に基づき検出し、この検出電圧に基づき印加電圧の電位±ＶＳＥＬを補正する。そして、電源回路１４は、この補正した電位±ＶＳＥＬ’及び±ＶＨＬＤ（図示略）を有する電圧を前記走査線駆動回路１２に供給する。
【００４４】
詳述すると、この電源回路１４は、上記ダミー電極２３にその入力端子が接続された比較回路としての反転論理回路３１を備えている。図５に併せ示すように、この反転論理回路３１は、例えばＰチャネルのＭＯＳトランジスタＴ１及びＮチャネルのＭＯＳトランジスタＴ２を直列接続した構成となっている。この反転論理回路３１の入力端子は、抵抗Ｒ１，Ｒ２（Ｒ１＜Ｒ２）の接続端に接続されている。そして、抵抗Ｒ１，Ｒ２の各他端は、それぞれ反転論理回路３２の出力端子及び入力端子に接続されている。この反転論理回路３２の入力端子には、制御回路１６からの極性指示信号ＦＲが入力されるようになっており、上記反転論理回路３１の入力端子には極性指示信号ＦＲの極性に応じた抵抗Ｒ１，Ｒ２の分圧である所定の電圧でバイアスされるようになっている。後述するように、この極性指示信号ＦＲはデータ信号の書き込み極性を規定するものである。
【００４５】
また、反転論理回路３１，３２の各出力端子は、論理回路としての第１論理回路３３の３つの入力端子の２つにそれぞれ接続されている。この第１論理回路３３の残りの入力端子には、制御回路１６からのインヒビット信号ＩＮＨが入力されるようになっている。この第１論理回路３３は、反転論理回路３１，３２からの出力信号及びインヒビット信号ＩＮＨの全てがＨレベル（高電位）のときにＨレベルの信号を、それ以外ではＬレベルの信号をその出力端子から出力する。
【００４６】
さらに、反転論理回路３１の出力端子は、論理回路としての第２論理回路３４の反転入力端子に接続されている。この第２論理回路３４の他の２つの入力端子には、それぞれ制御回路１６からの極性指示信号ＦＲ及びインヒビット信号ＩＮＨが入力されるようになっている。この第２論理回路３４は、反転論理回路３１からの出力信号がＬレベルであり、且つ、極性指示信号ＦＲ及びインヒビット信号ＩＮＨの全てがＨレベルのときにＬレベルの信号を、それ以外ではＨレベルの信号をその反転出力端子から出力する。
【００４７】
上記第１論理回路３３の出力端子はコンデンサ４１及び抵抗４２からなる微分回路に接続されており、第２論理回路３４の反転出力端子はコンデンサ４３及び抵抗４４からなる微分回路に接続されている。そして、上記第１論理回路３３からの出力信号ＣＭＰ−Ｕ及び第２論理回路３４からの出力信号ＣＭＰ−Ｌは、それぞれ微分信号として正側の電位＋ＶＳＥＬ及び負側の電位−ＶＳＥＬに付加されてこれらをそれぞれ電位＋ＶＳＥＬ’及び電位−ＶＳＥＬ’に補正する。
【００４８】
電源回路１４は、以上により補正された電位±ＶＳＥＬ’等を有する電圧を前記走査線駆動回路１２に供給する。
なお、電源回路１４には、利得調整用のコンデンサ３６，３７が設けられている。これらは、それぞれ出力信号ＣＭＰ−Ｕ，ＣＭＰ−Ｌの振幅が大きすぎる場合に、容量分割することで振幅を制御させるものである。これらコンデンサ３６，３７は必ずしも必要ではなく、例えばこれに代えて抵抗分割により振幅を制御させてもよい。
【００４９】
上記制御回路１６は、走査線駆動回路１２、データ線駆動回路１３及び電源回路１４に各種制御信号を出力する。特に、制御回路１６は、データ線駆動回路１３に各画素部２０の階調度に対応する表示データを出力する。
【００５０】
次に、図３及び図４のタイムチャートに基づきこのような回路構成を有する液晶表示装置の動作について説明する。なお、本実施形態では、液晶表示装置の駆動方法として、いわゆる四値駆動法（１Ｈセレクト、１Ｈ反転）を採用したものとして説明を行う。したがって、以下ではまず、四値駆動法（１Ｈセレクト、１Ｈ反転）の基本的な説明を行った後、同方法に対応する動作について説明する。ただし、液晶表示装置の駆動方法として、その他種々の駆動方法（例えば、四値駆動法（１Ｈセレクト、１／２Ｈ反転）等）を採用してもよいことは言うまでもない。
【００５１】
図３は、四値駆動法（１Ｈセレクト、１Ｈ反転）において、前記極性指示信号ＦＲ、走査期間規定信号ＬＰ、ｉ行（１≦ｉ≦ｎを満たす整数）目の走査線Ｙｉに印加される走査信号ＶＹｉ、ｊ列（１≦ｊ≦ｍを満たす整数）目のデータ線Ｘｊに印加されるデータ信号ＶＸｊ、ｉ行ｊ列の画素部２０に印加される電圧Ｖ（Ｘｊ、Ｙｉ）の波形例を示すタイムチャートである。また、図４は、上記極性指示信号ＦＲ、走査期間規定信号ＬＰ、階調を規定する階調規定信号ＧＣＰ、各階調（階調規定信号ＧＣＰ）に対応するデータ信号ＶＸｊの波形例を示すタイムチャートである。
【００５２】
図３において、走査期間規定信号ＬＰは所定の時間幅を有する一水平走査期間（１Ｈ）を規定するもので、極性指示信号ＦＲはこの走査期間規定信号ＬＰに同期して反転する。極性指示信号ＦＲはデータ信号の書き込み極性を規定するもので、前記制御回路１６より走査線駆動回路１２及びデータ線駆動回路１３等に入力されている。
【００５３】
走査線駆動回路１２は、Ｌレベルの極性指示信号ＦＲが入力されると選択期間にある走査線Ｙｉに対して走査信号ＶＹｉの電位が選択レベルとしての＋ＶＳＥＬ’となる選択電圧を供給する。そして、当該走査線Ｙｉの非選択期間（保持期間）に移行すると、走査線駆動回路１２は同走査線Ｙｉに対して走査信号ＶＹｉの電位が非選択レベルとしての＋ＶＨＬＤとなる非選択電圧（保持電圧）を供給する。なお、全ての走査線Ｙ１〜Ｙｎが一巡して選択され終わる期間をフィールド期間Ｆ（一垂直走査期間）と言う。走査線駆動回路１２は、当該走査線Ｙｉの前回の選択から１フィールド期間を経過すると、今回の選択期間において走査信号ＶＹｉの電位が選択レベルとしての−ＶＳＥＬ’となる選択電圧を供給するとともに、非選択期間において走査信号ＶＹｉの電位が非選択レベルとしての−ＶＨＬＤとなる非選択電圧（保持電圧）を供給するという動作を繰り返すようになっている。また、走査線駆動回路１２は、Ｈレベルの極性指示信号ＦＲが入力されると選択期間にある次の走査線Ｙｉ＋１に対して走査信号ＶＹｉ＋１の電位が−ＶＳＥＬ’となる選択電圧を供給する。そして、当該走査線Ｙｉ＋１の非選択期間に移行すると、走査線駆動回路１２は同走査線Ｙｉ＋１に対して走査信号ＶＹｉ＋１の電位が−ＶＨＬＤとなる非選択電圧（保持電圧）を供給する。このように、選択される走査線Ｙｉの順番で走査信号を反転させるのは、フリッカ等の防止のためである。
【００５４】
一方、データ線駆動回路１３には、前記制御回路１６からの表示データ及び階調規定信号ＧＣＰが併せ入力されている。表示データは、選択中の走査線Ｙｉに接続された各データ線Ｘｊ（画素部２０）ごとに入力されるもので、例えば３ビットのデータ（ｓｐｑ）（ｓ，ｐ及びｑは、０又は１）となっている。なお、本実施形態では、ノーマリーホワイトモードでの駆動を採用しており、表示データ（０００）に対して白が、表示データ（１１１）に対して黒が表示され、これら表示データ（０００）〜（１１１）の順番で暗くなるようにその階調が段階的に変化する。また、図４に併せ示すように、階調規定信号ＧＣＰは一水平走査期間（１Ｈ）を７分割するタイミングで立ち上がる。データ線駆動回路１３は、Ｌレベルの極性指示信号ＦＲが入力されると、表示データ（１１１）に対応する場合を除き、データ信号ＶＸｊの電位が＋ＶＳＩＧとなる電圧を供給する。そして、データ線駆動回路１３は、階調規定信号ＧＣＰの立ち上がりが入力される都度に表示データ（１１０）に対応するデータ信号ＶＸｊの電位、表示データ（１０１）に対応するデータ信号ＶＸｊの電位、…、表示データ（００１）に対応するデータ信号ＶＸｊの電位を順番に−ＶＳＩＧとする。また、データ線駆動回路１３は、Ｌレベルの極性指示信号ＦＲが入力されると、表示データ（１１１）に対応する場合に選択期間を通じてデータ信号ＶＸｊの電位が−ＶＳＩＧとなる電圧を供給する。なお、表示データ（０００）に対応する場合にデータ信号ＶＸｊの電位は、次の階調規定信号ＧＣＰで−ＶＳＩＧになるはずであるが、その前に走査期間規定信号ＬＰが入力されて次の走査線Ｙｉ＋１の選択期間となるため、＋ＶＳＩＧの電位のまま当該走査線Ｙｉの選択期間を終了する。以上は、Ｌレベルの極性指示信号ＦＲが入力される場合であり、Ｈレベルの極性指示信号ＦＲが入力される場合には、これとはちょうど逆の関係になる。具体的には、図４における下段から順に、（０００）、（００１）、…、（１１１）というように読み替えたものを想定すればよい。
【００５５】
データ線駆動回路１３は、これら表示データ（ｓｐｑ）及び階調規定信号ＧＣＰに応じて電位の極性が変化するデータ信号ＶＸｊを各データ線Ｘｊに供給する。
【００５６】
ちなみに、データ信号ＶＸｊの極性が変化するまでの時間幅の一つ一つを一単位と捉えるとともに、この一単位に電位が±ＶＳＩＧのいずれかとなる電圧を印加する態様を「パルス信号の印加」と捉えるならば、データ信号ＶＸｊは表示データに応じて「パルス幅変調」されているということができる。
【００５７】
ここで、各画素部２０に印加される電圧は、対応する走査線Ｙｉの電位から対応するデータ線Ｘｊの電位を減算した値になる。図３において、当該走査線Ｙｉの選択期間は、データ信号ＶＸｊの電位が＋ＶＳＩＧになる区間と−ＶＳＩＧになる区間とに分割される。前者の区間（オフ区間という）においては当該画素部２０に印加される電圧Ｖ（Ｘｊ，Ｙｉ）の電位は＋ＶＳＥＬ’−ＶＳＩＧになり、後者の区間（オン区間という）においては電圧Ｖ（Ｘｊ，Ｙｉ）の電位は＋ＶＳＥＬ’＋ＶＳＩＧになる。
【００５８】
極性が反対となる走査線Ｙｉ＋１の選択期間についても、上記に準じてデータ信号ＶＸｊの電位が−ＶＳＩＧになる区間と＋ＶＳＩＧになる区間とに分割されることはいうまでもない。このとき、前者の区間（オフ区間という）においては当該画素部２０に印加される電圧Ｖ（Ｘｊ，Ｙｉ＋１）の電位は−ＶＳＥＬ’＋ＶＳＩＧになり、後者の区間（オン区間という）においては電圧Ｖ（Ｘｊ，Ｙｉ）の電位は−ＶＳＥＬ’−ＶＳＩＧになる。
【００５９】
電圧Ｖ（Ｘｊ，Ｙｉ）は、絶対値「ＶＳＥＬ’−ＶＳＩＧ」がＴＦＤ２１の閾値電圧Ｖｔｈ以下になるように、かつ、絶対値「ＶＳＥＬ’＋ＶＳＩＧ」が閾値電圧Ｖｔｈ以上になるように電位±ＶＳＥＬ’（±ＶＳＥＬ）および±ＶＳＩＧが設定されている。これにより、オン区間が長くなるほど（図４において、（０００）、（００１）、…、（１１１）の順番で）液晶容量２２に印加される実効電圧値が高くなる。そして、このように実効電圧値が段階的に変化することで液晶の光透過率も段階的に変化し、画素部２０において中間調での表示が可能となっている。換言すれば、画素部２０に与えるべき階調が高くなるほど（ノーマリーホワイトモードでは暗くなるほど）、オン区間の占める割合が大きくなるように、データ信号ＶＸｊの電位の切換タイミングが設定されている。（なお極性とは、所定の電位（例えば０Ｖ或いはその他の電位）を基準とするものであり、極性を反転するとは、前記所定の電位を基準として正電位側の電位から負電位側の電位へ切り替えること（或いはその逆）を意味する）
なお、以上はノーマリーホワイトモードでの駆動を採用する場合であり、ノーマリーブラックモードでの駆動を採用する場合には、これとはちょうど逆の関係になる。すなわち、画素部２０に与えるべき階調が高くなるほど（明るくなるほど）、オン区間の占める割合が大きくなるように、データ信号ＶＸｊの電位の切換タイミングが設定されている。
【００６０】
次に、上述したクロストークを補償する動作について説明する。図２は、上記極性指示信号ＦＲ、走査期間規定信号ＬＰ、インヒビット信号ＩＮＨ、階調規定信号ＧＣＰ、所定階調（ここでは、（１０１）の表示データに相当）に対応するデータ信号ＶＸｊ、前記ダミー電極２３に現れる信号レベルを形成する電圧信号ＤＥＴ、反転論理回路３１の出力信号ＧＯＵＴ、第１及び第２論理回路３３，３４の出力信号ＣＭＰ−Ｕ，ＣＭＰ−Ｌ、走査信号ＶＹｉ、電圧Ｖ（Ｘｊ，Ｙｉ）の各波形例を示すタイムチャートである。
【００６１】
インヒビット信号ＩＮＨは、走査期間規定信号ＬＰに同期して所定期間、ＨレベルからＬレベルに推移する。この所定期間は、走査期間（１Ｈ）に対して十分に短い期間となっている。
【００６２】
前記ダミー電極２３には、他端がそれぞれ反転論理回路３２の出力端子及び入力端子に接続された抵抗Ｒ１，Ｒ２の接続端が接続されており、同反転論理回路３２には極性指示信号ＦＲが入力されている。従って、基本的に電圧信号ＤＥＴは、極性指示信号ＦＲの極性に応じたバイアスレベルを形成する抵抗Ｒ１，Ｒ２の分圧で推移する。すなわち、Ｌレベルの極性指示信号ＦＲが入力されたとすると、電圧信号ＤＥＴは、極性指示信号ＦＲの極性間の電圧の大きさにＲ２／（Ｒ１＋Ｒ２）を乗じた電圧Ｖ１となる。一方、Ｈレベルの極性指示信号ＦＲが入力されたとすると、電圧信号ＤＥＴは、極性指示信号ＦＲの極性間の電圧の大きさにＲ１／（Ｒ１＋Ｒ２）を乗じた電圧Ｖ２となる。なお、Ｒ１＜Ｒ２であるため、Ｖ１＜Ｖ２となる。
【００６３】
ここで、Ｌレベルの極性指示信号ＦＲが入力されている間において、データ信号ＶＸｊがパルス幅変調によってステップ状に変化する（立下がる）と、その立下りタイミングにおいてインパルス状のノイズ電圧（歪み電圧）がダミー電極２３（電圧信号ＤＥＴ）に重畳される。一方、Ｈレベルの極性指示信号ＦＲが入力されている間において、データ信号ＶＸｊがパルス幅変調によってステップ状に変化する（立上がる）と、その立上りタイミングにおいてインパルス状のノイズ電圧がダミー電極２３（電圧信号ＤＥＴ）に重畳される。
【００６４】
上記反転論理回路３１は、電圧信号ＤＥＴと上記電圧Ｖ１，Ｖ２の略中間の所定レベルを形成する所定電圧ＶＴとの比較結果を出力する回路で、所定電圧ＶＴよりも大きいときにＬレベルとなり、所定電圧ＶＴよりも小さいときにＨレベルとなる出力信号ＧＯＵＴを出力する。例えば、Ｌレベルの極性指示信号ＦＲが入力されている間において上記インパルス状のノイズ電圧がダミー電極２３に重畳されると、この立下がりに伴う大小関係の逆転によってＨレベルとなる信号成分が出力信号ＧＯＵＴに発生する。同様に、Ｈレベルの極性指示信号ＦＲが入力されている間において上記インパルス状のノイズ電圧がダミー電極２３に重畳されると、この立上がりに伴う大小関係の逆転によってＬレベルとなる信号成分が出力信号ＧＯＵＴに発生する。
【００６５】
上記第１論理回路３３には、反転論理回路３２の出力信号（極性指示信号ＦＲの反転信号）、反転論理回路３１の出力信号ＧＯＵＴ及びインヒビット信号ＩＮＨが入力されている。従って、第１論理回路３３の出力信号ＣＭＰ−Ｕは、これら全ての信号がＨレベルのときにＨレベルとなり、それ以外ではＬレベルとなる。つまり、第１論理回路３３の出力信号ＣＭＰ−Ｕは、Ｌレベルの極性指示信号ＦＲが入力されている間においては、ダミー電極２３に重畳される上記インパルス状のノイズ電圧に対応してＨレベルとなる。このノイズ電圧相当の第１論理回路３３の出力信号ＣＭＰ−Ｕにより、選択電圧の電位ＶＳＥＬが補正されて電位ＶＳＥＬ’となる。即ち、クロストークを打ち消す方向に選択電圧の電位が補正される。そして、選択期間における走査信号ＶＹｉには、データ信号ＶＸｊの立下りに同期してノイズ電圧が重畳するものの、出力信号ＣＭＰ−Ｕに対応して生じる破線にて示す立上がりにて、同ノイズ電圧と相殺する。結果として、選択期間における走査信号ＶＹｉは、実線にて示す波形に成形される。そして、電圧Ｖ（Ｘｊ，Ｙｉ）の立上がりの鈍りも抑制される。
【００６６】
なお、ノイズ電圧の有無にかかわらず、走査期間規定信号ＬＰに同期してＬレベルとなるインヒビット信号ＩＮＨにより出力信号ＣＭＰ−ＵはＬレベルとなる。これは、選択期間の前後で補正が加わらないようにするためである。
【００６７】
一方、上記第２論理回路３４には、反転論理回路３１の出力信号ＧＯＵＴ、極性指示信号ＦＲ及びインヒビット信号ＩＮＨが入力されている。従って、第２論理回路３４の出力信号ＣＭＰ−Ｌは、出力信号ＧＯＵＴがＬレベルであり、且つ、極性指示信号ＦＲ及びインヒビット信号ＩＮＨがＨレベルのときにＬレベルとなり、それ以外ではＨレベルとなる。つまり、第２論理回路３４の出力信号ＣＭＰ−Ｌは、Ｈレベルの極性指示信号ＦＲが入力されている間においては、ダミー電極２３に重畳される上記インパルス状のノイズ電圧に対応してＬレベルとなる。このノイズ電圧相当の第２論理回路３４の出力信号ＣＭＰ−Ｌにより、選択電圧の電位−ＶＳＥＬが補正されて電位−ＶＳＥＬ’となる。即ち、クロストークを打ち消す方向に選択電圧の電位が補正され、上記と同様に作用する。
【００６８】
なお、ノイズ電圧の有無にかかわらず、走査期間規定信号ＬＰに同期してＬレベルとなるインヒビット信号ＩＮＨにより出力信号ＣＭＰ−ＬはＨレベルとなる。これは、選択期間の前後で補正が加わらないようにするためである。
【００６９】
このように、全ての走査信号ＶＹ１〜ＶＹｎにおいて同様にノイズ電圧が解消されることで、クロストークが補償されクロストークによる表示ムラが解消されるのである。
【００７０】
ここで、白と黒に対応するデータ信号ＶＸｊの電圧波形は、走査期間規定信号ＬＰに同期して極性が反転するため、歪みが相殺される。すると、白と黒が両方多い場合と白が無くて黒も少ない場合とでも発生する歪み方が同じになってしまう。このため、選択電圧の電位の補正が困難となる。そこで、選択電圧を実際に印加する開始時間を走査期間規定信号ＬＰに対して遅らせるようにしてもよい。これにより、白と黒に対応するデータ信号ＶＸｊによる歪みの影響が回避される。特に、上記インヒビット信号ＩＮＨによる選択期間の前後での補正の回避と併せて行うことで、特に効果的となる。
【００７１】
以上詳述したように、本実施形態によれば、以下に示す効果が得られるようになる。
（１）本実施形態では、データ線に供給されるデータ信号の変動によってダミー電極２３に現れる電圧信号ＤＥＴの変化分は、所定電圧ＶＴとの比較（閾値判定）のみで検出される。すなわち、消費電力の増大や回路構成を複雑化することなく比較的高速な応答が可能となる。このダミー電極２３に現れる電圧信号ＤＥＴの変化分は、第１及び第２論理回路３３，３４により前記選択電圧の電位に付加されてクロストークが補償される。以上により、消費電力の増大や回路構成を複雑化することなくクロストークを抑制できる。
【００７２】
（２）本実施形態では、比較回路としての反転論理回路３１は、入力端子に所定のバイアスレベルが印加される極めて簡易な構成にできる。
（３）本実施形態では、選択期間の初期に電圧信号ＤＥＴの変化分は、前記選択電圧の電位に付加されない。従って、選択期間の前後でのクロストークの補償を回避できる。このため、「白色（階調度０％）」及び「黒色（階調度１００％）」での選択電圧の電位の補正を回避できる。
【００７３】
（電子機器）
次に、上述した実施形態に係る電気光学装置を電子機器に用いた例について説明する。こうした電気光学装置は、モバイル型コンピュータ、携帯電話、デジタルスチルカメラ、投射型表示装置、液晶テレビ、電子手帳、ワードプロセッサ、ビューファインダー型又はモニタ直視型のビデオテープレコーダ、ワークステーション、テレビ電話、ＰＯＳ端末、タッチパネル等の種々の電子機器に適用可能である。これら電子機器においては、消費電力の増大や回路構成を複雑化することなくクロストークが抑制された画像表示を実現できる。
【００７４】
＜モバイル型コンピュータ＞
まず、上述し電気光学装置を、パーソナルコンピュータの表示部に適用した例について説明する。図８は、このパーソナルコンピュータの構成を示す斜視図である。この図において、コンピュータ６０は、キーボード６１を備えた本体部６２と、表示部として液晶表示装置（液晶パネル１１）を用いた表示装置６３とを備えている。なお、表示装置６３として透過型液晶表示装置を用いる場合には、暗所での視認性を確保するため、背面にバックライト（図示略）が設けられる。
【００７５】
＜携帯電話＞
次に、上述した電気光学装置を、携帯電話の表示部に適用した例について説明する。図９は、この携帯電話の構成を示す斜視図である。この図において、携帯電話７０は、複数の操作ボタン７１のほか、受話口７２、送話口７３と、上述した電気光学装置を用いた表示装置７４とを備えている。なお、表示装置７４として、液晶表示装置（液晶パネル１１）を用いる場合には、暗所での視認性を確保するため、透過型や半透過半反射型であればバックライトが、反射型であればフロントライト（いずれも図示省略）がそれぞれ設けられる。
【００７６】
（変形例）
本発明は上述した実施形態に限定されるものではなく、例えば以下のように種々の変形が可能である。
【００７７】
・上記実施形態においては、各走査線の選択期間内において先にオフ区間が設けられ、その後にオン区間が設けられていた（図２参照）。このように先にオフ区間を設ける方式を「右寄せ駆動」という。また、これとは逆に、先にオン区間を設け、後にオフ区間を設ける方式もある。かかる方式を「左寄せ駆動」という。上記実施形態を「左寄せ駆動」によって構成してもよいことは言うまでもない。
【００７８】
ここで、右寄せ／左寄せ駆動を行った場合の走査信号ＶＹｉの波形を図７にそれぞれ示す。走査線Ｙｉ上に実際に現れる波形は右寄せ／左寄せ駆動とも同様であるが、走査線駆動回路１２内に対しては、実際には破線に示す電位±ＶＳＥＬを有する選択電圧等が印加される。従って、右寄せ駆動を採用した場合には、走査線駆動回路１２の耐圧を±ＶＳＥＬよりも高くしなければならない。一方、左寄せ駆動を採用した場合には、走査線駆動回路１２の耐圧は±ＶＳＥＬ相当を確保すれば充分である。このため、左寄せ駆動を採用した場合には、回路の耐圧を低くすることができるという利点がある。
【００７９】
・また、上記実施形態においては、画像の表示には用いられないダミー電極２３を介して電圧信号ＤＥＴを得た。これに代えて、走査線Ｙ１〜Ｙｎのうち非選択状態である何れかの走査線に電源回路１４を接続し、その走査線に発生する電圧信号ＤＥＴによって他の走査線に現れるクロストークを補償してもよい。例えば、画面上の上下端に対応する走査線Ｙ１およびＹｎを１／２フレーム毎に交互にダミー電極２３に代えて使用するとよい。
【００８０】
・前記実施形態において、各要素１１〜１６は、それぞれが独立した電子部品によって構成されていてもよい。例えば、各要素１２〜１６が１チップの半導体集積回路によって構成されていてもよい。また、各要素１１〜１６の全部若しくは一部が一体となった電子部品として構成されていてもよい。例えば、液晶パネル１１に、走査線駆動回路１２及びデータ線駆動回路１３が一体的に形成されていてもよい。
【００８１】
・また、上記実施形態においては、ＴＦＤ型液晶表示装置に本発明を適用した例を説明したが、本発明はＴＦＤ型液晶表示装置に限定されるものではない。例えば電気泳動装置、エレクトロルミネッセンス（ＥＬ）、デジタルマイクロミラーデバイス（ＤＭＤ）、或いは、プラズマ発光や電子放出による蛍光等を用いた様々な電気光学素子を用いた電気光学装置をはじめ、複数の走査線と、該各走査線に対して交差するように配線された複数のデータ線とを有する電気光学装置であってこれらの間にクロストークが発生し得る各種の電気光学装置および該電気光学装置を備えた電子機器に適用可能であることは言うまでもない。
【図面の簡単な説明】
【図１】本発明の電気光学装置の電気的な構成を示すブロック図。
【図２】クロストークが生じた場合の各信号を示すタイムチャート。
【図３】四値駆動法における各信号の波形例を示すタイムチャート。
【図４】制御信号に応じたデータ信号の波形例を示すタイムチャート。
【図５】反転論理回路を示す回路図。
【図６】ＴＦＤの特性図。
【図７】中間調表示を行う場合の各信号の波形例を示すタイムチャート。
【図８】電子機器の一例たるパーソナルコンピュータを示す斜視図。
【図９】電子機器の一例たる携帯電話を示す斜視図。
【図１０】従来の電気光学装置の電気的な構成を示すブロック図。
【図１１】液晶表示装置の各走査線に係る等価回路図。
【図１２】クロストーク現象の説明図。
【図１３】他の従来の電気光学装置の電気的な構成を示すブロック図。
【図１４】同装置のクロストークの測定結果を示すグラフ。
【符号の説明】
Ｘ１〜Ｘｍ…データ線
Ｙ１〜Ｙｎ…走査線
１１…液晶パネル
１２…走査線駆動回路
１３…データ線駆動回路
２０…画素部
２３…電極としてのダミー電極
３１…比較回路としての反転論理回路
３３…論理回路としての第１論理回路
３４…論理回路としての第２論理回路
６０…電子機器としてのコンピュータ
７０…電子機器としての携帯電話
【図１】
2004109825.tif 000003
【図２】
2004109825.tif 000004
【図３】
2004109825.tif 000005
【図４】
2004109825.tif 000006
【図５】
2004109825.tif 000007
【図６】
2004109825.tif 000008
【図７】
2004109825.tif 000009
【図８】
2004109825.tif 000010
【図９】
2004109825.tif 000011
【図１０】
2004109825.tif 000012
【図１１】
2004109825.tif 000013
【図１２】
2004109825.tif 000014
【図１３】
2004109825.tif 000015
【図１４】
2004109825.tif 000016